(57)【要約】【課題】組み立てる際に広い作業スペースを必要とせず且つ容易に組み立てることのできる照明装置を提供する。【解決手段】地上に設置される支柱Ａ１に取り付けられるアーム５と、アーム５に支持されて光源１を収納するハウジングとを備え、ハウジングは、各々開口を有し、互いに開口を突き合わせて結合するボディ３及びカバー４から成り、アーム５は、ハウジングを支持する支持部５Ａと、支柱Ａ１に取り付けられる支柱取付部５Ｂとを備え、ハウジングは、支持部５Ａを結合方向に沿ってボディ３とカバー４とで挟み込むように構成される。【選択図】図１
2014165140.tif 000002
【特許請求の範囲】
【請求項１】
地上に設置される支柱に取り付けられるアームと、前記アームに支持されて光源を収納するハウジングとを備え、
前記ハウジングは、各々開口を有し、互いに開口を突き合わせて結合するボディ及びカバーから成り、
前記カバーは、少なくとも一部が透光性を有し、
前記アームは、前記ハウジングを支持する支持部と、前記支柱に取り付けられる支柱取付部とを備え、
前記ハウジングは、前記支持部を前記結合方向に沿って前記ボディと前記カバーとで挟み込むように構成されることを特徴とする照明装置。
【請求項２】
前記アームは、前記支持部と前記支柱取付部とを連結する連結部を備え、
前記ボディと前記カバーとは、前記連結部に固定されることを特徴とする請求項１記載の照明装置。
【請求項３】
前記連結部と前記ハウジングとの間にシール材を設けることを特徴とする請求項２記載の照明装置。
【請求項４】
前記光源に電力を供給して点灯させる点灯回路を有し、
前記ハウジングは、前記点灯回路と外部の電源とを接続するための配線を前記ハウジングの外部へ引き出す配線孔を備え、
前記シール材は、前記配線孔の開口部分を覆うことを特徴とする請求項３記載の照明装置。
【請求項５】
前記アームは、その幅方向と直交する方向に沿って前記ボディの内壁と対向する壁部を備え、
前記ボディは、前記連結部の前記壁部を差し込む差込溝を備え、
前記差込溝は、前記支柱取付部側の一端の幅寸法が、前記支持部側の一端の幅寸法よりも大きいことを特徴とする請求項１乃至４の何れか１項に記載の照明装置。
【発明の詳細な説明】
【技術分野】
【０００１】
本発明は、屋外において街路灯等として用いられる照明装置に関する。
【背景技術】
【０００２】
従来から、ＬＥＤ素子（発光ダイオード素子）を光源に用いたＬＥＤ照明灯を内蔵した照明器具が知られており、例えば特許文献１に開示されている。特許文献１に記載されている照明器具（防犯灯）は、透光部としてのグローブを有する器具本体と、光源として用いられるＬＥＤ照明灯とを備える。器具本体は、既存の蛍光灯器具から蛍光灯を外したものである。器具本体の基端側には、道路脇にある鋼管ポールや電柱に器具本体を固定するための金属アームが差し込み固定されている。
【先行技術文献】
【特許文献】
【０００３】
【特許文献１】特開２０１２−００９３１５号公報
【発明の概要】
【発明が解決しようとする課題】
【０００４】
しかしながら、上記従来例では、金属アームを器具本体の基端側に差し込むことで器具本体に固定しているが、金属アームを差し込む際に差し込み方向に沿った作業スペースが必要となるという問題があった。また、金属アームを器具本体に差し込む際には、器具本体に設けられた差込口に重量のある金属アームを差し込むという作業を要するため、組み立てが容易ではないという問題があった。
【０００５】
本発明は、上記の点に鑑みて為されたもので、組み立てる際に広い作業スペースを必要とせず且つ容易に組み立てることのできる照明装置を提供することを目的とする。
【課題を解決するための手段】
【０００６】
本発明の照明装置は、地上に設置される支柱に取り付けられるアームと、前記アームに支持されて光源を収納するハウジングとを備え、前記ハウジングは、各々開口を有し、互いに開口を突き合わせて結合するボディ及びカバーから成り、前記カバーは、少なくとも一部が透光性を有し、前記アームは、前記ハウジングを支持する支持部と、前記支柱に取り付けられる支柱取付部とを備え、前記ハウジングは、前記支持部を前記結合方向に沿って前記ボディと前記カバーとで挟み込むように構成されることを特徴とする。
【０００７】
この照明装置において、前記アームは、前記支持部と前記支柱取付部とを連結する連結部を備え、前記ボディと前記カバーとは、前記連結部に固定されることが好ましい。
【０００８】
この照明装置において、前記連結部と前記ハウジングとの間にシール材を設けることが好ましい。
【０００９】
この照明装置において、前記光源に電力を供給して点灯させる点灯回路を有し、前記ハウジングは、前記点灯回路と外部の電源とを接続するための配線を前記ハウジングの外部へ引き出す配線孔を備え、前記シール材は、前記配線孔の開口部分を覆うことが好ましい。
【００１０】
この照明装置において、前記アームは、その幅方向と直交する方向に沿って前記ボディの内壁と対向する壁部を備え、前記ボディは、前記連結部の前記壁部を差し込む差込溝を備え、前記差込溝は、前記支柱取付部側の一端の幅寸法が、前記支持部側の一端の幅寸法よりも大きいことが好ましい。
【発明の効果】
【００１１】
本発明では、従来例のように金属アームを器具本体に差し込む必要がないので、アームの差し込み方向に沿った作業スペースが不要である。更に、本発明では、ハウジングの結合方向に沿ってアームをボディの内側に取り付けるだけでよいので、従来例のように、器具本体に設けられた差込口に重量のある金属アームを差し込むという作業が不要である。すなわち、本発明は、組み立てる際に広い作業スペースを必要とせず且つ容易に組み立てることができる。
【図面の簡単な説明】
【００１２】
【図１】本発明に係る照明装置の実施形態を示す分解斜視図である。
【図２】（ａ）は同上の照明装置の断面図で、（ｂ）は同上の照明装置のカバーを外した状態の平面図で、（ｃ）は同上の照明装置のカバーを取り付けた状態の平面図である。
【図３】同上の照明装置を支柱に取り付けた状態を示す図である。
【図４】同上の照明装置における光源を示す図で、（ａ）は平面図で、（ｂ）は側面図である。
【図５】同上の照明装置におけるレンズユニットを示す図で、（ａ）は平面図で、（ｂ）は側面図である。
【図６】同上の照明装置におけるボディを示す図で、（ａ）は内側から見た平面図で、（ｂ）は外側から見た平面図で、（ｃ）は内壁を示す断面図である。
【図７】同上の照明装置におけるカバーを示す図で、（ａ）は平面図で、（ｂ）は断面図で、（ｃ）はボディとカバーとを結合した状態の断面図である。
【図８】同上の照明装置におけるアームを示す図で、（ａ）は平面図で、（ｂ）は側面図である。
【図９】同上の照明装置におけるアームの要部斜視図である。
【図１０】（ａ），（ｂ）は、同上の照明装置におけるアームのボディへの取付方法を示す図である。
【図１１】（ａ），（ｂ）は、同上の照明装置におけるカバーのボディへの取付方法を示す図である。
【図１２】同上の照明装置におけるボディの接続部の一部拡大図である。
【発明を実施するための形態】
【００１３】
以下、本発明に係る照明装置の実施形態について図面を用いて説明する。本実施形態は、図１，２に示すように、光源１と、レンズユニット２と、ボディ３と、カバー４と、アーム５と、電源ユニット６とを備える。本実施形態では、ボディ３とカバー４とを組み合わせることで、光源１及びレンズユニット２、並びにアーム５の一部（後述する支持部５Ａ）を収納するハウジングを構成する。また、本実施形態は、図３に示すように、例えば道路（図示せず）の脇など地上に設置される支柱Ａ１（例えば、鋼管ポールや電柱）に取り付けて、街路灯として用いることができる。
【００１４】
光源１は、図４（ａ），（ｂ）に示すように、複数（図示では８つ）のＬＥＤ（発光素子）１０を、長尺な基板１１の表面（図４（ｂ）における下面）に実装して成る。各ＬＥＤ１０は、例えば青色光を発光するＬＥＤチップを、透光性を有し且つ蛍光材料が混合された合成樹脂製の封止部材で封止して成る。したがって、ＬＥＤチップから放射される光の一部が蛍光材料で波長変換され、波長変換された光（例えば、黄色光）と波長変換されなかった光（青色光）が混ざることにより、各ＬＥＤ１０から白色光が放射される。勿論、各ＬＥＤ１０は白色光を放射するものに限定されず、青色などの白色とは異なる色を発光するものでもよい。
【００１５】
本実施形態では、各ＬＥＤ１０を、基板１１の長手方向（図４（ｂ）における左右方向）に沿って一定の間隔を空けて実装している。また、基板１１の表面には、各ＬＥＤ１０への給電路となる導体１２を印刷している。なお、図示では省略しているが、実際には、各ＬＥＤ１０を直列又は並列、若しくは直並列に接続するように導体１２をパターニングしている。更に、基板１１の表面の長手方向の一端（図４（ｂ）における左端）には、導体１２と電気的に接続される端子台１３を実装している。この端子台１３には、リード線１３０の一端を接続している。また、リード線１３０の他端には、後述する電源ユニット６のレセプタクル６００に接続するためのプラグ１３１を設けている。
【００１６】
基板１１の長手方向に沿った両辺には、それぞれ複数（図示では４つずつ）の取付孔１１０を半円形状に切り欠いて形成している。各取付孔１１０を後述するアーム５の各取付孔５００に重ね合わせ、取付ねじＳ１を締め付けることにより、光源１をアーム５に固定することができる。
【００１７】
基板１１の裏面（図４（ｂ）における上面）には、その長手方向に沿って長尺な銅箔１４を設けている。この銅箔１４は、導体１２と電気的に絶縁されている。この銅箔１４を介して基板１１とアーム５とが接触することで、各ＬＥＤ１０の発する熱がアーム５へと効率良く伝導する。勿論、各ＬＥＤ１０の発する熱をアーム５へと効率良く伝導できるものであれば、銅箔１４以外の箔を基板１１の裏面に設けてもよい。また、銅箔１４を設けない場合でも、各ＬＥＤ１０の発する熱をアーム５へと伝導できることは言うまでもない。
【００１８】
レンズユニット２は、例えばＰＭＭＡ樹脂などの樹脂材料から成る樹脂成形品であり、各ＬＥＤ１０が発する光の配光を決めるものである。レンズユニット２は、図５（ａ），（ｂ）に示すように、各ＬＥＤ１０にそれぞれ対応する複数（図示では８つ）のレンズ２０と、各レンズ２０を一体に形成した長尺な取付板２１とを備える。本実施形態では、各レンズ２０を、取付板２１の長手方向（図５（ａ）における左右方向）に沿って一定の間隔を空けて一体に形成している。
【００１９】
各レンズ２０は、レンズ本体２００と、１対の反射部２０１，２０２とをそれぞれ備える。レンズ本体２００は、各ＬＥＤ１０が発する光の向きに凸となる曲面を有する砲弾型に形成される。レンズ本体２００は、各ＬＥＤ１０が発する光をレンズユニット２の幅方向（図５（ａ）における上下方向）に沿って広げる配光特性を有する。
【００２０】
このレンズ本体２００を挟んだ両側（図５（ａ）における左右両側）には、それぞれ角柱状の反射部２０１，２０２を一体に形成している。各反射部２０１，２０２は、何れも各ＬＥＤ１０が発する光を反射し、レンズユニット２の長手方向（図５（ａ）における左右方向）へ広がるのを抑える配光特性を有する。
【００２１】
本実施形態は、既に述べたように例えば道路脇の支柱Ａ１に設置して用いるが、この場合、道路における車両の進行方向に沿って広角に光を照射するのが望ましい。また、この場合、無駄な光の照射を避けるために、道路の幅方向では道路外への光の照射を抑えるのが望ましい。ここで、本実施形態では、レンズユニット２を用いることで、道路における車両の進行方向では広角な配光を実現することができ、道路の幅方向では道路外への光の照射を抑えることができる。
【００２２】
取付板２１における隣接するレンズ２０の間には、各ＬＥＤ１０が発する光を遮光する遮光部２０３をそれぞれ設けている。これら遮光部２０３により、隣接するレンズ２０の間における光の干渉を抑えることができる。また、取付板２１の長手方向の一端（図５（ａ）における左端）には、基板１１の端子台１３を通すための通孔２１０を設けている。
【００２３】
取付板２１の長手方向に沿った両辺には、それぞれ取付板２１の幅方向（図５（ａ）における上下方向）の外向きに突出する複数（図示では２つずつ）の取付片２２を一体に形成している。各取付片２２の長手方向（図５（ａ）における左右方向）に沿った一辺には、それぞれ取付孔２２０を半円形状に切り欠いて形成している。各取付孔２２０を基板１１の各取付孔１１０、及び後述するアーム５の各取付孔５００に重ね合わせ、取付ねじＳ１で締め付けることにより、光源１を覆う形でレンズユニット２をアーム５に固定することができる。
【００２４】
ボディ３は、例えばＡＳＡ樹脂などの樹脂材料から成る箱形の樹脂成形品であり、その一面（図６（ｃ）における下面）が開口している。ボディ３は、図６（ａ）〜（ｃ）に示すように、矩形状の主部３０と、主部３０の全周に亘って厚み方向（図６（ｃ）における上下方向）に沿って立ち下がる外壁３１とを備える。また、ボディ３は、外壁３１の内側で且つ外壁３１と並行する形で、主部３０から厚み方向に沿って立ち下がる内壁３２を備える。これら外壁３１と内壁３２との間に、後述するカバー４の突片４２が嵌合する嵌合溝３１０を形成している。また、内壁３２のうちボディ３の幅方向の両側（図６（ａ）における上下両側）の壁には、図６（ａ），（ｃ）に示すように、後述するアーム５の第１溝５１０及び第２溝５１１に嵌合する第１爪３２０及び第２爪３２１をそれぞれ形成している。
【００２５】
ボディ３の長手方向の一端（図６（ａ）における左端。以下、「先端」と呼ぶ）には、電源ユニット６を取り付けている。また、主部３０には、図６（ａ）に示すように、複数対（図示では３対）のリブ３００を設けている。これら対となるリブ３００の間に、電源ユニット６と外部の電源（図示せず）とを接続する配線Ｗ１を通すことで、配線Ｗ１をボディ３内で位置決めすることができる。また、ボディ３の長手方向の他端（図６（ａ）における右端。以下、「基端」と呼ぶ）には、配線Ｗ１を通すための１対の切り欠き３１１（配線孔）を設けている。これら切り欠き３１１に配線Ｗ１を通すことで、配線Ｗ１をボディ３内部から外部へと引き出すことができる。
【００２６】
ボディ３の先端には、１対の軸３３を設けている。各軸３３には、後述するカバー４の各フック４０をそれぞれ引っ掛けることができる。ボディ３の基端には、アーム５を接続するための接続部３４を形成している。接続部３４の幅方向に沿った両側（図６（ａ）における上下両側）には、後述するアーム５の連結部５Ｃにおける各側板５１を差し込む差込溝３４０をそれぞれ設けている。
【００２７】
主部３０の外面（図６（ｂ）における紙面手前側の面）には、図６（ｂ）に示すように、厚み方向に沿って窪んだ凹部３５を形成している。凹部３５の基端は外部に開放されている。このため、凹部３５に溜まった雨水が基端から外部へと流れ落ちるようになっている。凹部３５には、その長手方向（図６（ｂ）における左右方向）に沿って長尺な突起３６を設けている。この突起３６により、凹部３５に溜まる雨水を、突起３６を挟んだ両側（図６（ｂ）における上下両側）に分断して流すことができる。
【００２８】
突起３６の内面（図６（ａ）における紙面手前側の面）には、図６（ａ）に示すように、その基端側に１対のボス３６０，３６１を設けている。各ボス３６０，３６１の内周面には、雌ねじ（図示せず）が形成されている。ボス３６０に後述するアーム５の取付孔５０２を重ね合わせ、取付ねじＳ１で締め付けることにより、アーム５をボディ３に固定することができる（図２（ａ）参照）。また、ボス３６１に後述するアーム５の取付孔５０３、及び後述するカバー４の取付孔４１０を重ね合わせ、取付ねじＳ１で締め付けることにより、カバー４及びアーム５をボディ３に固定することができる（図２（ａ）参照）。
【００２９】
カバー４は、図７（ａ），（ｂ）に示すように、例えばＰＭＭＡ樹脂などの透光性を有する樹脂材料から成る半筒状の樹脂成形品であり、その一面（図７（ｂ）における上面）を開口している。カバー４は、ボディ３に取り付けられることでボディ３の開口を閉塞するものである。そして、ボディ３の開口とカバー４の開口とを互いに突き合わせて結合することで、ハウジングが構成される。
【００３０】
カバー４の先端には、１対のフック４０を設けている。各フック４０をボディ３の各軸３３に引っ掛けることで、各軸３３を支点としてカバー４が回転自在となる。すなわち、カバー４の各フック４０と、ボディ３の各軸３３とでヒンジを構成している。
【００３１】
カバー４の開口の周縁には、その全周に亘って、厚み方向に沿った向き（図７（ｃ）における上向き）に突出する突片４２を一体に形成している。したがって、カバー４を用いてボディ３の開口を閉塞する際に、この突片４２をボディ３の嵌合溝３１０に嵌合することで、ハウジングの密閉を図ることができる（図７（ｃ）参照）。
【００３２】
カバー４の基端には、厚み方向に沿った向き（図７（ｂ）における上向き）に窪んだ凹所４１を設けている。この凹所４１には、図７（ａ），（ｂ）に示すように、厚み方向（図７（ｂ）における上下方向）に貫通する取付孔４１０を設けている。この取付孔４１０は、既に述べたように、取付ねじＳ１を用いてカバー４をボディ３及びアーム５に固定するために用いる。
【００３３】
カバー４の基端には、図７（ｄ）に示すように、矩形状の切り欠き４３を設けている。この切り欠き４３には、カバー４をボディ３及びアーム５に取り付ける際に、後述するアーム５の支持部５Ａの基端が位置する。切り欠き４３には、図７（ｄ）に示すように、カバー４とアーム５の連結部５Ｃとの隙間を埋めるためにパッキン７（シール材）を取り付ける。パッキン７は、例えばシリコン樹脂で形成される。このパッキン７により、カバー４と連結部５Ｃとの隙間から塵埃や雨水等がハウジング内に侵入するのを防止することができる。
【００３４】
また、このパッキン７は、カバー４をボディ３及びアーム５に取り付けたときに、ボディ３の切り欠き３１１の開口部分を覆う。このため、切り欠き３１１を通して塵埃や雨水等がハウジング内に侵入するのを防止することができる。
【００３５】
アーム５は、例えば鋼板などの金属板から成る。アーム５は、支柱Ａ１に取り付けられてボディ３を支持するものである。アーム５は、図８（ａ），（ｂ）に示すように、矩形状の主板５０と、１対の側板５１（壁部）とを一体に形成して成る。各側板５１は、主板５０の長手方向（図８（ｂ）における左右方向）に沿った両辺から各々厚み方向（図８（ｂ）における上下方向）に沿って立ち上がる。また、アーム５は、支柱Ａ１に取り付けた際に、図３に示すように水平面に対して一定の角度（例えば、６０度以上）で傾くように湾曲している。以下、アーム５におけるボディ３を支持する部位を支持部５Ａ、アーム５における支柱Ａ１に取り付けられる部位を支柱取付部５Ｂ、支持部５Ａと支柱取付部５Ｂとを連結する部位を連結部５Ｃと呼ぶ。
【００３６】
支持部５Ａの長手方向に沿った両辺には、図８（ａ）に示すように、厚み方向に貫通する取付孔５００をそれぞれ２対ずつ設けている。これら取付孔５００は、既に述べたように、取付ねじＳ１を用いて光源１及びレンズユニット２をアーム５に固定するために用いる。
【００３７】
各側板５１の先端には、図８（ｂ）に示すように、それぞれ第１溝５１０を設けている。また、各側板５１の長手方向に沿った中程には、それぞれ第２溝５１１を設けている。第２溝５１１は、各側板５１の短手方向に沿った一端縁（図８（ｂ）における上端縁）を切り欠くようにして、平面視で鉤形となるように形成している。各溝５１０，５１１には、既に述べたように、ボディ３の内壁３２の各爪３２０，３２１が嵌合するようになっている。そして、各溝５１０，５１１に各爪３２０，３２１が嵌合することにより、アーム５をボディ３に位置決めしつつ取り付けることができる。
【００３８】
連結部５Ｃにおいて、各側板５１には、図９に示すように、それぞれ矩形状の切り欠き５１３を設けている。これら切り欠き５１３に配線Ｗ１を通すことで、アーム５とボディ３との間で配線Ｗ１を挟み込んでしまうのを回避することができる。
【００３９】
連結部５Ｃにおいて、主板５０には、図８（ａ）に示すように、厚み方向に窪んだ円形状の窪み５０１を設けている。この窪み５０１の中央には、厚み方向に貫通する取付孔５０２を設けている。この取付孔５０２は、既に述べたように、取付ねじＳ１を用いてアーム５をボディ３に固定するために用いる。また、連結部５Ｃにおける窪み５０１の近傍には、図８（ａ）に示すように、厚み方向に貫通する取付孔５０３を設けている。この取付孔５０３は、既に述べたように、取付ねじＳ１を用いてカバー４をボディ３及びアーム５に固定するために用いる。
【００４０】
アーム５を支柱Ａ１に取り付ける場合は、図３に示すように、先ず支柱Ａ１にベルトＢ２を巻き付けて取付金具Ｂ１を固定する。その後、取付金具Ｂ１に設けられた３つの取付孔（図示せず）と、支柱取付部５Ｂの基端側に設けられた３つの取付孔５０４，５０５，５０６とを重ね合わせ、それぞれ取付ねじＳ１を締め付ける。これにより、取付金具Ｂ１及びベルトＢ２を介してアーム５を支柱Ａ１に固定することができる。なお、支柱取付部５Ｂにおいて、各側板５１には、図８（ａ）に示すようにそれぞれ矩形状のスリット５１２を設けている。各スリット５１２は、例えば電柱（図示せず）にベルトＢ２を巻き付けてアーム５を直接取り付ける場合に、ベルトＢ２を通すために用いる。
【００４１】
電源ユニット６は、図２（ａ），（ｂ）に示すように、点灯回路６０と、光センサ６１とをケース６２に収納して成る。点灯回路６０は、光源１の各ＬＥＤ１０に電力を供給して発光（点灯）させるものである。点灯回路６０は、例えば、商用電源から供給される交流電力を直流電力に変換する従来周知のＡＣ／ＤＣコンバータを備える。また、点灯回路６０は、その出力端子（図示せず）に接続されるレセプタクル６００を備える。そして、プラグ１３１をレセプタクル６００に接続することで、点灯回路６０と光源１の各ＬＥＤ１０とが電気的に接続される。
【００４２】
ケース６２には、自然光（太陽光）をケース６２内に導くための筒状の採光部６２０を一体に形成している。光センサ６１は、採光部６２０を介してケース６２内に導かれた自然光を検知し、その光量が閾値を下回っているときに点灯回路６０に検知信号を出力する。そして、点灯回路６０は、光センサ６１からの検知信号が出力されている間は各ＬＥＤ１０に電力を供給し、検知信号が出力されていない間は各ＬＥＤ１０に電力を供給しない。このため、本実施形態では、例えば日が暮れて辺りが暗くなると自動的に各ＬＥＤ１０が点灯し、日が昇って辺りが明るくなると自動的に各ＬＥＤ１０が消灯する。
【００４３】
なお、本実施形態では、電源ユニット６をボディ３の主部３０に取り付けることで、電源ユニット６をボディ３に取り付けているが、電源ユニット６は外付けであってもよい。
【００４４】
以下、本実施形態を組み立てる手順について説明する。先ず、ボディ３を、その開口が天を向くようにして作業スペースに置く。そして、電源ユニット６をボディ３に取り付ける。その後、電源ユニット６に接続された配線Ｗ１を各リブ３００の間に挟み込み、切り欠き３１１を通して外部へと引き出す。
【００４５】
次に、アーム５の連結部５Ｃにおける各側板５１をボディ３の接続部３４の各差込溝３４０に差し込む。このとき、図１０（ａ）に示すように、アーム５の各側板５１の第２溝５１１に、ボディ３の内壁３２の各第２爪３２１を挿入する。そして、先端側に向かってアーム５をスライドさせる。これにより、図１０（ｂ）に示すように、ボディ３の各爪３２０，３２１が、アーム５の各溝５１０，５１１に嵌合する。この状態で、アーム５の取付孔５０２とボディ３のボス３６０とに取付ねじＳ１を挿入して締め付けることで、アーム５をボディ３に固定する。
【００４６】
次に、基板１１の各取付孔１１０、及びレンズユニット２の各取付孔２２０をアーム５の各取付孔５００に重ね合わせ、取付ねじＳ１で締め付けることにより、光源１及びレンズユニット２をアーム５に固定する。そして、光源１のプラグ１３１を電源ユニット６のレセプタクル６００に接続することで、光源１の各ＬＥＤ１０と電源ユニット６の点灯回路６０とを電気的に接続する。
【００４７】
次に、カバー４の切り欠き４３にパッキン７を取り付けた状態で、カバー４の各フック４０をボディ３の各軸３３に引っ掛ける。そして、図１１（ａ），（ｂ）に示すように、各軸３３を支点としてカバー４を回転させることで、ボディ３の開口をカバー４により閉塞する。最後に、カバー４の取付孔４１０、アーム５の取付孔５０３、ボディ３のボス３６１に取付ねじＳ１を挿入して締め付けることで、カバー４をボディ３及びアーム５に固定する。
【００４８】
上述のように、本実施形態では、ハウジングが、アーム５の支持部５Ａを、その結合方向（図２（ａ）における上下方向）に沿ってボディ３とカバー４とで挟み込むように構成されている。したがって、本実施形態では、従来例のように金属アームを器具本体に差し込む必要がないので、アーム５の差し込み方向に沿った作業スペースが不要である。更に、本実施形態では、ハウジングの結合方向に沿ってアーム５をボディ３の内側に取り付けるだけでよい。このため、従来例のように、器具本体に設けられた差込口に重量のある金属アームを差し込むという作業が不要である。すなわち、本実施形態では、組み立てる際に広い作業スペースを必要とせず且つ容易に組み立てることができる。
【００４９】
また、本実施形態では、既に述べたように、アーム５の連結部５Ｃにボディ３及びカバー４を固定している。このため、ボディ３、カバー４、アーム５を一括して固定できるので、容易に組み立てることができる。なお、連結部５Ｃにボディ３及びカバー４を固定するか否かは任意である。
【００５０】
また、本実施形態では、既に述べたように、アーム５の連結部５Ｃとカバー４（ハウジング）との間にパッキン７（シール材）を設けている。このため、カバー４と連結部５Ｃとの隙間から塵埃や雨水等がハウジング内に侵入するのを防止することができる。なお、本実施形態では、カバー４と連結部５Ｃとの間にパッキン７を設けているが、ボディ３と連結部５Ｃとの間にパッキン７を設けてもよい。
【００５１】
特に、本実施形態では、既に述べたように、ボディ３（ハウジング）に設けられた切り欠き３１１（配線孔）の開口部分をパッキン７で覆うように構成している。このため、切り欠き３１１を通して塵埃や雨水等がハウジング内に侵入するのを防止することができる。なお、パッキン７を設けるか否かは任意である。
【００５２】
ここで、本実施形態では、既に述べたように、アーム５の連結部５Ｃにおける各側板５１（壁部）を差し込む１対の差込溝３４０をボディ３の基端側に設けている。この各差込溝３４０の一部（図６（ａ）における破線Ｃ１で囲まれた領域）を拡大した図を図１２に示す。同図に示すように、各差込溝３４０（同図では１つ）は、基端部３４０Ａ（支柱取付部５Ｂ側の一端）の幅寸法が、先端部３４０Ｂ（支持部５Ａ側の一端）の幅寸法よりも大きくなるように構成している。このように構成することで、塵埃や雨水等が基端部３４０Ａに入りこんだとしても、基端部３４０Ａよりも幅寸法の小さい先端部３４０Ｂには侵入し難く、結果としてハウジング内への侵入を防止することができる。特に、当該構成では、基端部３４０Ａの幅寸法を大きくしていることから、毛細管現象による雨水等の液体のハウジングへの浸入を防ぐことができる。なお、差込溝３４０の上記構成を採用するか否かは任意である。
【００５３】
なお、本実施形態では、発光素子としてＬＥＤ１０を用いているが、例えば有機ＥＬ素子などの他の発光素子を用いてもよい。
【００５４】
また、本実施形態では、カバー４は透光性を有する樹脂材料から成る樹脂成形品としたが、少なくとも一部が透光性を有するものであればよい。例えば、カバー４を、透光性を有さない部位と、透光性を有する部位とが混在する形で構成してもよい。
【符号の説明】
【００５５】
３  ボディ（ハウジング）
４  カバー（ハウジング）
５  アーム
５Ａ  支持部
５Ｂ  支柱取付部
【図１】
2014165140.tif 000003
【図２】
2014165140.tif 000004
【図３】
2014165140.tif 000005
【図４】
2014165140.tif 000006
【図５】
2014165140.tif 000007
【図６】
2014165140.tif 000008
【図７】
2014165140.tif 000009
【図８】
2014165140.tif 000010
【図９】
2014165140.tif 000011
【図１０】
2014165140.tif 000012
【図１１】
2014165140.tif 000013
【図１２】
2014165140.tif 000014